(57)【要約】【目的】  本発明は、水と生石灰の反応を調整し、重金属イオンを不溶化する機能をもつ反応調整剤とこれを使用したワックス剥離廃液の処理方法を提供する。【構成】  反応調整剤は、少なくとも重金属固定剤、アルカリ水酸化物、アルカリ金属塩及び界面活性剤との混合物からなる。この反応調整剤は、反応機１の反応槽３内にワックス剥離廃液１００重量部に対して３〜５重量部加えられて攪拌され、更に生石灰５０〜２００重量部が加えられて反応が進められ、ワックス剥離廃液内の重金属を不溶性塩に変化せしめ、これを含む消石灰として回収する。【選択図】  図１
2006305526.tif 000002
【特許請求の範囲】
【請求項１】
攪拌しながら、ワックス剥離廃液１００重量部に対して水と生石灰との反応を調整するとともに重金属を固定するための反応調整剤３〜５重量部を加えて混合した後、生石灰５０〜２００重量部を速やかに添加して反応させ、その反応熱によって水分を蒸散、乾燥させるとともに重金属成分を不溶性塩に変えてワックス剥離廃液を無害な消石灰として回収することを特徴とするワックス剥離廃液の処理方法。
【請求項２】
重金属固定剤、アルカリ金属水酸化物、アルカリ金属塩並びに界面活性剤からなる、水と生石灰との反応を調整するワックス剥離廃液処理用反応調整剤。
【請求項３】
前記重金属固定剤が、ジチオカルバミン酸基とチオール基をもつ高分子硫黄化合物であることを特徴とする前記請求項２記載のワックス剥離廃液処理用反応調整剤。
【請求項４】
前記高分子硫黄化合物が０．１〜１重量％、アルカリ金属水酸化物が４０〜８０重量％、アルカリ金属塩が５〜２０重量％、界面活性剤が８〜２０重量％である請求項３記載のワックス剥離廃液処理用反応調整剤。
【発明の詳細な説明】
【技術分野】
【０００１】
本発明は、ワックス剥離廃液に含有する重金属を前処理なしに、水と石灰の反応を利用して直接処理する、安全無害な消石灰をつくるためのワックス剥離廃液の処理方法及びこれに使用する反応調整剤に関する。
【背景技術】
【０００２】
従来、メッキ廃液などの重金属を含有する廃液は、凝集反応槽→沈殿槽→処理水槽→急速濾過器→放流槽などの長い工程を有する設備によって処理されている。
【０００３】
また、この処理方法では、塩化第１鉄、酸又はアルカリ液及び高分子凝集剤などの薬液が使用されており、廃棄物として沈殿スラッジ及び濾過スラッジが発生する。これらのスラッジは産業廃棄物として産業廃棄物処理業者に委託されている。
【０００４】
また、ワックス剥離廃液の現状の処理方法としては、処理量が少ないために本格的な設備投資もできず、また高い処理費用もかけられないために、簡単な手作業による凝集沈殿分離法が採用されている。
【０００５】
生成する沈殿スラッジは産業廃棄物として最終処分場に埋立処分されているが、その上澄液はｐＨ１２．５以上であり、特別管理廃棄物に該当しているにもかかわらず、一般下水に、時には河川、田畑に不法投棄しているのが現状である。
【発明の開示】
【発明が解決しようとする課題】
【０００６】
上述したようにワックス剥離廃液の処理は、剥離液メーカーにとっても、それを使用するビルメンテナンス業界にとっても最大の課題となっているが、両者とも適切な方法を開発できずにいる。
【０００７】
本発明は上記従来の問題点を解決するもので、比較的簡単な設備でワックス剥離廃液を極めて効率よく処理し、無害な消石灰を得ることができ、さらにその消石灰を有益にリサイクルできる生石灰を利用したワックス剥離廃液の処理方法及びその処理に使用される反応調整剤を提供することを目的とする。
【課題を解決するための手段】
【０００８】
生石灰とワックス剥離廃液とを単に混合した場合には、生石灰と廃液中の水との水和反応熱によって短時間で急激に温度が上昇し、沸騰状態となり、水蒸気と消石灰粉末が噴出してくる。
【０００９】
そこで、水と生石灰との水和反応速度を調整して（遅延させて）、急激な水蒸気の発生を抑制しながら、重金属と固定剤との反応を促す反応調整剤が必要となる。また、ワックス剥離廃液中には亜鉛等の重金属が含まれており、この重金属をも処理する必要がある。
【００１０】
そこで、本発明は攪拌しながら、ワックス剥離廃液１００重量部に対して水と生石灰との反応を調整するとともに重金属を固定するための反応調整剤３〜５重量部を加えて混合した後、生石灰５０〜２００重量部を速やかに添加して反応させ、その反応熱によって水分を蒸散、乾燥させるとともに重金属成分を不溶性塩に変えてワックス剥離廃液を無害な消石灰として回収する。
【００１１】
また、本発明に係る重金属の不溶化機能を有する、生石灰と水との反応調整剤は、少なくとも重金属固定剤とアルカリ金属水酸化物とアルカリ金属塩と界面活性剤との混合物からなる。
【００１２】
前記重金属固定剤はジチオカルバミン酸基とチオール基をもつ高分子硫黄化合物がよい。
【００１３】
また、アルカリ金属水酸化物は水酸化カリウム、水酸化ナトリウム、水酸化カルシウムから選択される１又は２以上の水酸化物を含んでもよい。
更にまた、アルカリ金属塩は硫酸塩、炭酸塩、ケイ酸塩から選択される１又は２以上のアルカリ金属塩を含んでもよい。
【００１４】
更にまた、前記反応調整剤は、重金属固定剤が０．５〜１重量％、アルカリ金属水酸化物が４０〜８０重量％、アルカリ金属塩が５〜２０重量％、界面活性剤が４〜２０重量％であることが好ましい。
【００１５】
更にまた、前記重金属固定剤である高分子硫黄化合物が０．５〜１重量％、アルカリ金属水酸化物が４０〜８０重量％、アルカリ金属塩である硫酸塩が１〜９．５重量％、同じく炭酸塩が１〜１０重量％、同じくケイ酸塩が１〜１０重量％、界面活性剤が４〜２０重量％であることが好ましい。
【発明の効果】
【００１６】
本発明は周辺環境を汚染することなく、少量処理であっても、ワックス剥離廃液を簡単な装置で迅速に、経済的に消石灰に変えることができる。
【００１７】
また、生成された消石灰は、含有する重金属が不溶化されるので重金属溶出試験に合格し、各種土壌中和剤、路盤剤などに有効に再利用できるのでゼロエミッションが可能となる。
【００１８】
更に、本発明は、ワックス剥離廃液のリサイクル処理を実現するものであり、また装置が簡単なのでコンパクト化でき、車両等にも設置でき、機動力をもって現地処理ができる。したがって、排出量の少ない事業所においては、車載型の移動設備を排出現場に直接持ち込み、現地処理ができる。
【発明を実施するための最良の形態】
【００１９】
以下、本発明の実施形態について説明する。
【００２０】
本発明のワックス剥離廃液の処理に使用される水と生石灰の反応調整剤は、少なくともワックス廃液中に含まれるＺｎ等の重金属を固定する重金属固定剤としての高分子有機硫黄化合物とアルカリ金属水酸化物とアルカリ金属塩と界面活性剤とからなり、これに炭酸塩、硫酸塩、ケイ酸塩が含まれてよい。
【００２１】
具体的には、
・高分子有機硫黄化合物（ジメチルジチオカルバミン酸ナトリウム）０．１〜  １重量％
・アルカリ金属水酸化物（水酸化カルシウム）９．９〜８０重量％
・アルカリ金属塩（硫酸ナトリウム、炭酸ナトリウム）３〜３５重量％
・界面活性剤（陽イオン界面活性剤、陰イオン界面活性剤）８〜２０重量％
からなる。
【００２２】
このような機能を有する反応調整剤は、生石灰と水との反応開始時間の遅延機能を有し、処理物と生石灰との混合、均一化を助長する機能を有し、生成する消石灰の粒度を微細化し、団塊の生成を防止する機能を有する。
【００２３】
このような機能を有する反応調整剤は、生石灰と水との水和反応熱で処理物を分解処理する廃棄物処理に好適である。
【００２４】
反応調整剤は、処理物の重量に対して３〜５重量％使用するのが好適であり、ワックス剥離水溶液の場合は、処理物の重量に対して生石灰と反応調整剤の割合は、以下の通りであるが、ワックス剥離水溶液中の水の量は全体の９５〜９８％位を占めている。
【００２５】
ワックス剥離水溶液  処  理  物：１００重量％
反応調整剤：１〜３０重量％
生  石  灰：４０〜２００重量％
本発明の反応調整剤は、上記のように種々の廃棄物を生石灰で処理する際に水分と生石灰の水和反応を遅延させる作用を有するものである。
【００２６】
ワックス剥離廃液等の重金属含有水溶液を処理する場合には、以下のように行なう。
【００２７】
１）攪拌機付反応槽においてワックス剥離水溶液１００重量％に対して反応調整剤０．５〜３０重量％を加えて均一になるように攪拌混合する。
【００２８】
２）生石灰４０〜２００重量％を加えて約１分間攪拌混合し、攪拌を停止する。生石灰は処理物中の水と水和反応熱により、反応槽は一定のタイムラグをおいて急激に反応を始め、水蒸気を発生しながら数分後にピーク温度に達する。
【００２９】
３）その後、攪拌を継続しながら冷却して生成した消石灰を取り出す。
【実施例】
【００３０】
以下、図面を参照しながら本発明の実施例について説明する。
【００３１】
１）図１において反応槽３は攪拌機４を備え、この反応槽３の投入口２からワックス剥離廃液１００重量部と反応調整剤５重量部を反応槽３に投入し、モータ５によって回転される攪拌機４によって１０分間十分に混合した。
【００３２】
２）１０分後、生石灰９０重量部を速やかに反応槽３に投入し、さらに１０分間攪拌を続けた。３０〜６０秒のタイムラグをおいて反応が始り、反応槽３の内部のピーク温度は１９０℃に達し、以後、水蒸気の発生熱によって徐々に温度が降下した。この際、発生するガスは、スクラバー７の水シャワー９で洗浄されるとともに、排気ブロワ１０によって外部に排出され、シャワー水９はポンプ８によって循環される。
【００３３】
３）冷却後、反応槽内に白色のさらさらな消石灰が残り、１３５重量部の消石灰が得られた。この消石灰は反応機本体１の反応槽３の底部側面に設けられている排出口６から排出される。
【００３４】
４）以上の試験を、重金属固定剤を含まない反応調整剤と重金属固定剤を含む反応調整剤を使用して、比較試験を行い、次のような結果が得られた。なお、Ｚｎの溶出試験は一般的規格によった。処理によって得られた消石灰中の重金属成分は以下の通りであった。
【００３５】
【表１】
2006305526.tif 000003
【図面の簡単な説明】
【００３６】
【図１】図１は、本発明にかかるワックス剥離廃液を処理するための装置の概略構成図である。
【符号の説明】
【００３７】
１…反応機本体
３…反応槽
４…攪拌機
７…スクラバー
【図１】
2006305526.tif 000004